(57)【要約】【課題】  充電操作を行わない非使用状態の携帯機器用充電器を有効に利用する。【解決手段】  本発明による照明器具は、前記照明器具の本体に、発光体が点灯可能に配設された基体と、該基体に充電端子が接続可能に形成された接続口を有した構成であり、充電操作を行わない非使用状態の携帯機器用充電器の充電端子に接続して使用する。【選択図】図１
2005071912.tif 000002
【特許請求の範囲】
【請求項１】
携帯機器用充電器の充電端子に接続する照明器具であって、該照明器具の本体には、発光体が点灯可能に配設された基体と、該基体に充電端子が接続可能に形成された接続口を有した構成であることを特徴とする照明器具。
【請求項２】
請求項１記載の照明器具において、前記照明器具の本体には透明或いは半透明のレンズが設けられていること特徴とする充電器用照明器具。
【請求項３】
請求項１記載の照明器具において、前記照明器具の本体には通光孔が設けられていることを特徴とする照明器具。
【発明の詳細な説明】
【技術分野】
【０００１】
本発明は携帯機器用充電器の充電端子に接続する照明器具に関するものである。
【背景技術】
【０００２】
携帯機器用の充電器が知られている。（例えば、特許文献１。）前記充電器は電源コンセントに接続を行うことにより、充電器に備えられた充電端子に電気が供給される。前記充電器の充電端子に充電を行う携帯機器の外部出力端子或いは充電用端子に接続することにより携帯機器内部の電池に電気を供給し充電を行うものである。このような携帯機器用充電器は携帯機器へ充電のみを行うもので、他の機能を有したものではない。従って、上記携帯機器用の充電器は充電操作を行わない非使用時には前記充電器は電源コンセントから外した状態で室内にて収納或いは保管している。
【０００３】
また、自動車の車室内で使用される携帯機器用の充電器が知られている。（例えば、特許文献２。）前記充電器は、自動車の車室内にあるシガーライターソケットに接続することにより充電器に備えられた充電端子に電気が供給される。前記充電端子を、充電を行う携帯機器の外部出力端子或いは充電用端子に接続することにより、携帯機器内部の電池に電気を供給し充電を行うものである。このような携帯機器用充電器も携帯機器への充電のみを行うもので、他の機能を有したものではない。従って、充電操作を行わない非使用時には、前記充電器はシガーライターソケットから外した状態で車室内のグローブボックスなどに収納している。
【０００４】
上記の如く、前記携帯機器用の充電器が充電操作を行わない非使用時においては前記充電器は充電以外の他の機能を有していないため、室内の収納場所や自動車の車室内のグローブボックスに収納しておくのが一般的である。
【０００５】
【特許文献１】特開平１０−２８４１３５号公報
【特許文献２】特開２００３−１８７５５号公報
【発明の開示】
【発明が解決しようとする課題】
【０００６】
携帯機器用の充電器は、充電のみの機能を有するが故に、非使用時には室内の収納場所或いは自動車の車室内のグローブボックス等に収納されている。そのため、前記充電器は充電以外の用途で有効に使用されることがなかった。
【０００７】
本発明は、かかる課題認識の下でなされたものであり、その目的とするところは、携帯機器用充電器の機能アップを図り、充電器本来の機能を超えて、室内用の照明器具として、或いは自動車の車室内の内装品として好適に使用できる便利な携帯機器用充電器の照明器具を提供することである。
【課題を解決するための手段】
【０００８】
この目的は、以下の構成を有する照明器具を提供することによって達成される。
本発明による照明器具は、携帯機器用充電器の充電端子に接続する照明器具であって、該照明器具の本体には、発光体が点灯可能に配設された基体と、該基体に充電端子が接続可能に形成された接続口を有した構成であることを特徴とする
【０００９】
また、照明器具本体にレンズを形成した構成においては、発光体から照射された光はレンズを通して発光される。
【００１０】
また、照明器具本体に通光孔を形成した構成においては、発光体から照射された光は通光孔を通して発光される。
【００１１】
上記の構成を以って、充電操作を行わない非使用状態の携帯機器用充電器を利用して、前記充電器の充電端子に照明器具を接続することにより、照明器具本体に内設された発光体を発光させ照明としての照射光を得る。
【発明の効果】
【００１２】
本発明の効果として、本来、携帯機器用の充電器は充電機能のみを行うものであったが、充電操作を行わない非使用時においても、該充電器の充電端子に本発明の照明器具を接続することによって室内用の照明器具として、或いは自動車の車室内の内装品として有効に利用することが可能である。
【００１３】
本発明の一好適様態によれば、照明器具の点灯・消灯用スイッチボタンが前記照明器具の本体の外表面に配設される。このスイッチボタンを設けることにより、照明器具を常時点灯しておくのではなく、必要に応じて消灯し電源の消費を節減することができる。
【００１４】
本発明の一好適様態においては、照明器具としての発光体に発光ダイオード（ＬＥＤ）を使用する。そして、発光ダイオードの発光色を選択することにより、夜間における室内の装飾用室内灯として有効に利用することができる。更に光源体に発光ダイオードを使用することにより、消費電力の少ない照明器具の提供が可能となる。また、より強力な発光を得る場合には、発光体を複数設けても良い。
また、複数の発光体を制御回路にて制御を行い、輝度並びに点灯・点滅等の発光パターンの変更ができるものとする。更に複数の発光体を用いる場合において、発光体の発光色を組み合わせることにより、照明器具としての付加価値を高められることができる。
【００１５】
また、携帯機器用充電器の充電コネクタが電気コードを介した構成によれば、使用者は、照明器具が接続された充電端子部分を任意の位置へ移動することができるので、自由な照射位置を得ることができ、室内用の照明或いは自動車車室内のルームランプ等に依存することなく照明を使用することができる。
【発明を実施するための最良の形態】
【００１６】
本発明による照明器具の一実施形態を、添付図面を参照して説明する。  図１には、本発明の照明器具１の斜視図を示しており、本体２には、発光体５が点灯可能に配設された基体６と、該基体６に電気的に接続がなされ、且つ、充電端子２４が接続可能に形成された接続口３を有している。
【００１７】
接続口３は携帯機器用充電器１の充電端子２４が接続可能に形成されており、接続口３に臨む部分には、発光体５が点灯可能に配設された基体６を有する。基体６には、前記充電端子２４には端子（図示省略）が接触し通電し得る位置に端子（図示省略）を有しており、接続口３に前記充電端子２４を接続することにより電気が供給され発光体５を発光させる。
【００１８】
また、本体２に透明或いは半透明のレンズ４を形成した構成において、発光体５から照射された光はレンズ４を通して発光する。レンズ４は本体２に形成されており、発光体５の光を照射する前面部分にレンズ４が形成されていることが望ましい。また、レンズ４により発光体５より照射された光が収束或いは拡散等照射範囲を変化させるよう形成された構成や、レンズ４が有色透明或いは有色半透明或いはレンズ４表面に着色を施す等により、照射される発光色を多様化させるよう形成した構成としても良い。また、レンズ４の形状は、文字形体、動物や物品等の立体的な形状とすることにより照明器具としての機能以外にもインテリアライトとして機能するような外観に変更しても良い。
【００１９】
また、図２において通光孔８は、照明器具１'の本体２'に内設された発光体５の光を本体２'の外側に通過させる手段として設けられている。通光孔８は発光体５の光を照射する方向に開口を設けることが望ましい。
【００２０】
また、本体２の外周部には、内設の発光体５の点灯・消灯或いは点滅等の発光状態を変更可能なスイッチボタン７を設けても良い。
【００２１】
図４は、照明器具１は室内用の携帯機器用充電器２０の充電コネクタ２４に接続されている。前記充電器２０は、本体２１に突出形成されたコンセントプラグ２２を室内の電源コンセントに差し込むことにより本体２１より延出形成された電気コード２３の先端に有された接続端子２４に電気を供給するものである。
【００２２】
図５における携帯機器用の充電器は、自動車の車室内のシガーライターソケットから電気を供給するための携帯機器用の充電器３０であり、充電器３０には一体的に突出形成された円筒形状のプラグ部３１を有しており、先端にプラス端子３２と円筒外周部にマイナス端子３３を有した構成である。前記プラグ部を前記シガーライターソケットに差し込むことにより、前記シガーライターソケットの内部端子のプラス端子とマイナス端子が接触することにより本体３１より延出形成された接続端子２４に電気が供給される。
【図面の簡単な説明】
【００２３】
【図１】本発明の一具体例に係わる照明器具の後部から見た状態を示す斜視図。
【図２】本発明の一具体例に係わる照明器具を前方から見た状態を示す斜視図。
【図３】本発明に示す照明器具が充電コネクタに取り付けられた状態を示す斜視図。
【図４】本発明に示す照明器具が室内用の携帯機器用充電器の充電端子に取り付けられた状態を示す斜視図。
【図５】本発明に示す照明器具が自動車用携帯機器用充電器の充電端子に接続される前の状態を示す斜視図。
【符号の説明】
【００２４】
１    照明器具
２    本体  
３    接続口
４    レンズ
５    発光体
６    基体
７    スイッチボタン
８    通光孔
２０  充電器
２１  本体
２２  コンセントプラグ
２３  電気コード  
２４  充電端子
３０  充電器
３１  プラグ部
３２  プラス端子
３３  マイナス端子
１'    照明器具
２'    本体
【図１】
2005071912.tif 000003
【図２】
2005071912.tif 000004
【図３】
2005071912.tif 000005
【図４】
2005071912.tif 000006
【図５】
2005071912.tif 000007